(57)【要約】【課題】  移動通信システムにおけるＭＢＭＳ用のＳＣＣＰＣＨ（ＦＡＣＨ）の送信電力を基地局にて適切に制御して、基地局近傍に位置する移動機に対しての過剰な受信品質や他セルへの干渉を防止する。【解決手段】  ＭＢＭＳ用の共用チャネルであるＳＣＣＰＣＨの送信電力は、個別チャネルのような送信電力制御が行われておらず、最初はセル境界までカバーできるような大きな電力（一定）で送信されているが、できるだけ無駄な送信電力を削減するために徐々にＦＡＣＨの電力を落としていくのが望ましい。この送信電力の制御は、上位のＲＮＣから基地局にて受信するＩｕｂ  Ｆｒａｍｅ（ＦＡＣＨ）にて指示されており、基地局では、この指定された送信電力に従うだけでなく、ＦＡＣＨ電力をモニタすると共に、受信機でのＳＣＣＰＣＨの受信状況を考慮した自発的な送信電力の制御を行う。【選択図】      図１
2008028489.tif 000002
【特許請求の範囲】
【請求項１】
下り方向の共通チャネルを用いて同一情報を複数の移動機に提供するようにした移動通信システムにおいて、前記共通チャネルの送信電力を制御する送信電力制御システムであって、
基地局に設けられて、上位装置からの指示の他に、前記移動機における前記共通チャネルの受信状況に応じて前記共通チャネルの送信電力を制御する制御手段を含むことを特徴とする送信電力制御システム。
【請求項２】
前記受信状況は前記移動機の各々からのデータ受信送達確認情報であることを特徴とする請求項１記載の送信電力制御システム。
【請求項３】
前記制御手段は、前記送達確認情報の全てが肯定を示す場合に、前記共通チャネルの過去の最小電力値と前記上位装置からの指示に応じた現在の送信電力値とを比較して、より低い方の送信電力値に前記共通チャネルの送信電力を設定することを特徴とする請求項２記載の送信電力制御システム。
【請求項４】
前記制御手段は、前記送達確認情報の少なくとも一つが否定を示す場合に、前記共通チャネルの過去の最大送信電力値と前記上位装置からの指示に応じた現在の送信電力値とを比較して、より高い方の送信電力値に前記共通チャネルの送信電力を設定することを特徴とする請求項２記載の送信電力制御システム。
【請求項５】
前記制御手段は、前記移動機の数が所定値以上の場合に、前記受信状況に応じた制御をなすことを特徴とする請求項１〜４いずれか記載の送信電力制御システム。
【請求項６】
下り方向の共通チャネルを用いて同一情報を複数の移動機に提供するようにした移動通信システムにおいて、前記共通チャネルの送信電力を制御する送信電力制御方法であって、
基地局において、上位装置からの指示の他に、前記移動機における前記共通チャネルの受信状況に応じて前記共通チャネルの送信電力を制御する制御ステップを含むことを特徴とする送信電力制御方法。
【請求項７】
前記受信状況は前記移動機の各々からのデータ受信送達確認情報であることを特徴とする請求項６記載の送信電力制御方法。
【請求項８】
前記制御ステップは、前記送達確認情報の全てが肯定を示す場合に、前記共通チャネルの過去の最小電力値と前記上位装置からの指示に応じた現在の送信電力値とを比較するステップと、この比較の結果より低い方の送信電力値に前記共通チャネルの送信電力を設定するステップとを有することを特徴とする請求項７記載の送信電力制御方法。
【請求項９】
前記制御ステップは、前記送達確認情報の少なくとも一つが否定を示す場合に、前記共通チャネルの過去の最大送信電力値と前記上位装置からの指示に応じた現在の送信電力値とを比較するステップと、この比較の結果より高い方の送信電力値に前記共通チャネルの送信電力を設定するステップとを有することを特徴とする請求項７記載の送信電力制御方法。
【請求項１０】
前記制御ステップは、前記移動機の数が所定値以上の場合に、前記受信状況に応じた制御をなすことを特徴とする請求項６〜９いずれか記載の送信電力制御方法。
【請求項１１】
下り方向の共通チャネルを用いて同一情報を複数の移動機に提供するようにした移動通信システムにおける基地局であって、
上位装置からの指示の他に、前記移動機における前記共通チャネルの受信状況に応じて前記共通チャネルの送信電力を制御する制御手段を含むことを特徴とする基地局。
【請求項１２】
前記受信状況は前記移動機の各々からのデータ受信送達確認情報であることを特徴とする請求項１１記載の基地局。
【請求項１３】
前記制御手段は、前記送達確認情報の全てが肯定を示す場合に、前記共通チャネルの過去の最小電力値と前記上位装置からの指示に応じた現在の送信電力値とを比較して、より低い方の送信電力値に前記共通チャネルの送信電力を設定することを特徴とする請求項１２記載の基地局。
【請求項１４】
前記制御手段は、前記送達確認情報の少なくとも一つが否定を示す場合に、前記共通チャネルの過去の最大送信電力値と前記上位装置からの指示に応じた現在の送信電力値とを比較して、より高い方の送信電力値に前記共通チャネルの送信電力を設定することを特徴とする請求項１２記載の基地局。
【請求項１５】
前記制御手段は、前記移動機の数が所定値以上の場合に、前記受信状況に応じた制御をなすことを特徴とする請求項１１〜１４いずれか記載の基地局。
【請求項１６】
下り方向の共通チャネルを用いて同一情報を複数の移動機に提供するようにした移動通信システムにおける基地局において、前記共通チャネルの送信電力を制御するための制御方法をコンピュータに実行させるためのプログラムであって、
上位装置からの指示の他に、前記移動機における前記共通チャネルの受信状況に応じて前記共通チャネルの送信電力を制御する処理を含むことを特徴とするプログラム。
【発明の詳細な説明】
【技術分野】
【０００１】
本発明は移動通信システムにおける送信電力制御システム及びその方法並びにそれに用いる基地局に関し、特にＷ−ＣＤＭＡ方式の移動通信システムに使用されるＳＣＣＰＣＨ（Secondary Common Control Physical Channel ）の送信電力制御方式に関するものである。
【背景技術】
【０００２】
Ｗ−ＣＤＭＡ方式の移動通信システムには、マルチメディアコンテンツを複数の受信者に効率良く提供するサービスとして、ＭＢＭＳ（Multimedia Broadcast/Multicast Service）と称される技術がある。これは、ＣＢＳ（Cell Broadcast Service）と似たサービスであるが、大きな違いとして、マルチメディアサービス（Audio/Video ）を提供できる（ＣＢＳは、メッセージレベルの低ビットレート）。ＭＢＭＳ方式において行われる通信は、１対１（Point to Point：ＰｔＰ）の通信だけではなく、１対多（Point to Multi：ＰｔＭ）の通信となる。すなわち、１つの基地局が複数の移動機に対して同時に同じデータを送信する。
【０００３】
ＭＢＭＳには、Broadcast モードとMulticast モードとがあり、Broadcast モードは全移動機に対して情報送信するようなモードであるのに対して、Multicast モードは、あるサービスに加入している特定の移動機に対してのみ情報送信するようなモードである。各種サービス（ストリーミング等）で基地局から送信される情報を移動機単位で１チャネルずつ使用して受信する場合を考えると、同じ情報を取得したい移動機により無線回線に対して負荷がかかってしまう。ＭＢＭＳを使用した場合、移動機が増えた場合でも同じチャネルを使用して情報を受信するので、無線回線に対する負荷を増やすことなく、情報受信できる移動機を増加させることができる利点がある。
【０００４】
ＭＢＭＳにおいて、複数の移動機に対して同時に同じデータを送信するためのチャネルとして、現在のＷ−ＣＤＭＡ移動通信方式で使用されているＳＣＣＰＣＨが挙げられる。現在、このＳＣＣＰＣＨは、下り方向の共通チャネルであり、ページング信号や上位レイヤのデータ送信のために使用されている。また、ＳＣＣＰＣＨでは、個別チャネルのような送信電力制御が行われておらず、セル内に存在する移動機の位置に関わらず、セル境界まで届くような大きな一定の送信電力で送信されている。
【０００５】
ＭＢＭＳが行われるようになっても、基地局と移動機の間にはＭＢＭＳ用のＳＣＣＰＣＨ（ＦＡＣＨ：Foward Access Channel ）の他に、通常の音声や個別制御情報の伝送等を行うＤＰＣＨ（Dedicated Physical Channel）も存在するため、基地局近傍に位置する移動機に対しての過剰な受信品質や他セルへの干渉が懸念される。
【０００６】
なお、ＭＢＭＳではない通常の通信用のＳＣＣＰＣＨ（ＦＡＣＨ）の送信電力制御に関しては、非特許文献１に規定されており、また、特許文献１にも開示されている。更に、特許文献２には、ブロードキャストにおけるＳＣＣＰＣＨ（ＦＡＣＨ）の送信電力制御が開示されている。
【０００７】
【非特許文献１】3GPP-TS25.433 ：NBAP：COMMON TRANSPORT CHANNEL SETUP REQUEST/FACH Parameters/MAX FACH Power
【非特許文献２】3GPP-TS25.435(v5.6.0) , 5.1.3 章Secondary-CCPCH related Transport Channel
【特許文献１】特表２００３−５３０７５８号公報
【特許文献２】特表２００２−５３９７０７号公報
【発明の開示】
【発明が解決しようとする課題】
【０００８】
ＳＣＣＰＣＨでは、個別チャネルのような送信電力制御が行われておらず、セル内に存在する移動機の位置に関わらず、セル境界まで届くような大きな一定の送信電力で送信されている。ＭＢＭＳが行われるようになっても、基地局と移動機の間にはＭＢＭＳ用のＳＣＣＰＣＨの他に、通常の音声や個別制御情報の伝送等を行うＤＰＣＨも存在するために、基地局近傍に位置する移動機に対して過剰な受信品質を提供することになり、結果的に、ＭＢＭＳのサービスを享受していない他の移動機に対する干渉が懸念され、更には他セルへの干渉の発生も懸念されることになる。
【０００９】
なお、上述した非特許文献１や特許文献１の技術は、ＭＢＭＳではない通常の通信用のＳＣＣＰＣＨ（ＦＡＣＨ）の送信電力制御に関するものであり、特許文献２の技術は、ブロードキャストを含む通信サービスなどにおいて、ＦＡＣＨの送信電力をトラフィック負荷の状態に応じて適応的に制御する技術が開示されているが、さらなる適切な送信電力制御が要求されている。
【００１０】
そこで、本発明の目的は、ＭＢＭＳ用のＳＣＣＰＣＨ（ＦＡＣＨ）の送信電力を基地局にて適切に制御して、基地局近傍に位置する移動機に対しての過剰な受信品質や他セルへの干渉を防止することが可能な移動通信システムにおける送信電力制御システム及びその方法並びにそれに用いる基地局を提供することである。
【課題を解決するための手段】
【００１１】
本発明による送信電力制御システムは、下り方向の共通チャネルを用いて同一情報を複数の移動機に提供するようにした移動通信システムにおいて、前記共通チャネルの送信電力を制御する送信電力制御システムであって、基地局に設けられて、上位装置からの指示の他に、前記移動機における前記共通チャネルの受信状況に応じて前記共通チャネルの送信電力を制御する制御手段を含むことを特徴とする。
【００１２】
本発明による送信電力制御方法は、下り方向の共通チャネルを用いて同一情報を複数の移動機に提供するようにした移動通信システムにおいて、前記共通チャネルの送信電力を制御する送信電力制御方法であって、基地局において、上位装置からの指示の他に、前記移動機における前記共通チャネルの受信状況に応じて前記共通チャネルの送信電力を制御する制御ステップを含むことを特徴とする。
【００１３】
本発明による基地局は、下り方向の共通チャネルを用いて同一情報を複数の移動機に提供するようにした移動通信システムにおける基地局であって、上位装置からの指示の他に、前記移動機における前記共通チャネルの受信状況に応じて前記共通チャネルの送信電力を制御する制御手段を含むことを特徴とする。
【００１４】
本発明によるプログラムは、下り方向の共通チャネルを用いて同一情報を複数の移動機に提供するようにした移動通信システムにおける基地局において、前記共通チャネルの送信電力を制御するための制御方法をコンピュータに実行させるためのプログラムであって、上位装置からの指示の他に、前記移動機における前記共通チャネルの受信状況に応じて前記共通チャネルの送信電力を制御する処理を含むことを特徴とする。
【００１５】
本発明の作用を述べる。ＭＢＭＳ用の共用チャネルであるＳＣＣＰＣＨの送信電力は、個別チャネルのような送信電力制御が行われておらず、最初はセル境界までカバーできるような大きな電力（一定）で送信されているが、できるだけ無駄な送信電力を削減するために徐々にＦＡＣＨの電力を落としていくのが望ましい。この送信電力の制御は、上位装置（Radio Network Controller：ＲＮＣ）から基地局にて受信するＩｕｂ  Ｆｒａｍｅ（ＦＡＣＨ）にて指示されており、基地局では、この指定された送信電力に従うだけでなく、ＦＡＣＨ電力をモニタすると共に、受信機でのＳＣＣＰＣＨの受信状況を考慮した自発的な送信電力の制御を行う。
【発明の効果】
【００１６】
本発明によれば、上位装置から受信したＦＡＣＨのＴＰＬ（Transmit Power Level）の他に、移動機の受信状況である送達確認信号を用いてＳＣＣＰＣＨの送信電力を決定するようにしたので、移動機の受信状況に応じてできるだけ早く送信電力を選択し制御できるという効果がある。その理由は、上位装置から指定される電力の変更タイミングよりも前に、受信機の受信状況に応じて送信電力値を指定することができるからである。
【００１７】
また、本発明によれば、上位装置から受信したＦＡＣＨのＴＰＬおよび移動機空受信したＦＡＣＨの受信状態を利用して、ＳＣＣＰＣＨの送信電力制御回路を動作させるようにしたので、新たに大きな回路変更なく、本発明を実現可能であるという効果がある。その理由は、制御回路の構成は簡単な比較処理と送信電力を保存するレジスタもしくはメモリで対応できるからである。
【発明を実施するための最良の形態】
【００１８】
以下に、図面を参照しつつ本発明の実施例について詳細に説明する。図１は本発明の実施例による基地局装置の機能ブロック図を示している。ＭＢＭＳを行う移動体通信を想定しており、複数の移動機へ同じデータを同時に送信するために使用される下り共通チャネルとしてＳＣＣＰＣＨを、複数の移動機それぞれに対して個別に割り当てられるチャネルをＤＰＣＨとして説明する。
【００１９】
図１において、１００はＳＣＣＰＣＨ送信部、２００は上りＤＰＣＣＨ受信部であり、この上りＤＰＣＣＨ受信部は、複数の移動機（Ｕｓｅｒ＃０〜＃Ｎ）に対応して設けられている。１はアンテナ、２は受信部、３は逆拡散部、４は復号部、５はデータパケットの送達確認のためのＡＣＫ／ＮＡＣＫ情報を抽出するためのＡＣＫ／ＮＡＣＫ情報ビット抽出部、６はＦＡＣＨデータ受信部、７はＦＡＣＨ送信電力算出部、８はＳＣＣＰＣＨ送信電力制御部、９は符号化部、１０は拡散部、１１は送信部である。
【００２０】
図１を参照して本基地局の動作について述べる。図示せぬ移動機から送信された信号は、アンテナ１を経由して受信部２で復調後、逆拡散部３において逆拡散され、チャネル復号部４において逆拡散部３から出力された信号の軟判定処理がなされる。チャネル復号部４にて復号されたＤＰＣＣＨは物理レイヤでの制御情報を伝送するものである。
【００２１】
図２はこの制御情報の内容を説明するための図であり、上りＤＰＣＨ（ＤＰＤＣＨ（Dedicated Physical Data Channel ）／ＤＰＣＣＨ（Dedicated Physical Contorol Channel ））のフレーム構成図である。図２に示すように、この制御情報は、同期検波でのチャネル推定に用いられる既知のパタンのパイロットビット（ＰＩＬＯＴ）、送信電力コマンド（ＴＰＣ）、フィードバック情報（ＦＢＩ）、ＴＦＣＩ（Transport Format Combination Indicator）で構成される。特に、ＦＢＩフィールドは閉ループ送信ダイバーシチの制御のために移動機から基地局に対して送信される情報を含んでいる（ＤＰＣＣＨにて使用するスロットフォーマットは、ＦＢＩが使用されているものとして説明している）。
【００２２】
本発明は、ＭＢＭＳの送信電力制御で下りＳＣＣＰＣＨのＦＡＣＨが移動機で正しく受信できたかどうかを示すＡＣＫ／ＮＡＣＫ情報をＦＢＩフィールドにて基地局に通知する手段を移動機側が有することを前提にしており、このＡＣＫ／ＮＡＣＫ情報をＡＣＫ／ＮＡＣＫ情報ビット抽出部５により取得する。移動機でのＡＣＫ／ＮＡＣＫを決定する手法として、受信するＦＡＣＨデータにＣＲＣビットが付与されていることに注目し、このＣＲＣ判定がＯＫ（肯定）を示す場合には、ＡＣＫ情報（“１”）を、ＮＧ（否定）を示す場合には、ＮＡＣＫ情報（“０”）を送信する。
【００２３】
本来、ＡＣＫ／ＮＡＣＫ情報はＳＳＤＴ（Site Selection Diversity Transmission ）で使用されるパラメータであるが、本発明ではこれを使用することができる（なお、ＡＣＫ／ＮＡＣＫ信号を通知する手段については、周知であるので、特に言及しない）。
【００２４】
ＡＣＫ／ＮＡＣＫ情報ビット抽出部５内部の動作として、ＤＰＣＣＨシンボルデータのＦＢＩフィールド（Ｓビット）からＡＣＫ／ＮＡＣＫ情報を取得して、ＳＣＣＰＣＨ送信電力制御部８に通知する。なお、制御処理がオフの場合には、本フィールドの情報は使用しない。
【００２５】
ＦＡＣＨ受信部６では、ＲＮＣから受信したＩｕｂ  Ｆｒａｍｅ（ＦＡＣＨデータ）が入力される。ＦＡＣＨデータは、符号化部９にてチャネルコーディング処理され、拡散部１０へ引き渡される。このとき、入力されたＦＡＣＨのＩｕｂヘッダには、ＳＣＣＰＣＨの下り送信電力のオフセット値を示すTransmit Power Level（以下、ＴＰＬと呼ぶ）フィールドがあり、これにより、ＳＣＣＰＣＨ（ＦＡＣＨ）の送信電力がＲＮＣから制御可能となっている。
【００２６】
ＴＰＬは、上位から指定されたＳＣＣＰＣＨの送信電力（非特許文献１参照）に対するマイナス側のオフセット量を示す（図３参照）。このＴＰＬの値をＦＡＣＨデータ受信の度にＦＡＣＨ送信電力算出部７にて保存する。Ｉｕｂ  Ｆｒａｍｅとして受信するＦＡＣＨデータのフォーマットを、図４に示している。Ｉｕｂ  Ｆｒａｍｅは、Ｈｅａｄｅｒ部とＰａｙｌｏａｄ部に分かれており、ＴＰＬはＨｅａｄｅｒ部に位置している（詳細は、非特許文献２参照）。
【００２７】
ＳＣＣＰＣＨ送信電力制御部８では、通常呼として設定されている個別チャネルＤＰＣＨのユーザ数をモニタし、ある規定ユーザ数（ＮMBMS）となった時点で、本送信電力制御を動作させることとし、過去に送信したＳＣＣＰＣＨの送信電力テーブルを参照すると共に、ＡＣＫ／ＮＡＣＫ情報ビット抽出部５からの情報ビットを使用し、現在のＦＡＣＨ受信状況に応じて最適な送信電力を決定し、送信部１１へ通知する。
【００２８】
ＳＣＣＰＣＨ送電力制御部８では、以下のような制御が行われる。複数の移動機（Ｕｓｅｒ＃０〜Ｎ）の各々から送信されたＡＣＫ／ＮＡＣＫ情報ビットのうち、全てＡＣＫ情報（“１”）だった場合には、受信状況が良好と判断し、ＳＣＣＰＣＨの送信電力は下げる方向に動作させ、それ以外であれば送信電力を上げる方向に動作させる。これにより、複数の移動機の受信状態に応じて送信電力を制御する。
【００２９】
このとき、ＦＡＣＨ送信電力算出部７にて取得した送信電力テーブルの情報を活用する。ＳＣＣＰＣＨ送電力制御部８では、ＴＰＬの値を反映した送信電力を取得するが、本制御機能がオンでかつ、ＡＣＫ／ＮＡＣＫ情報抽出部５から送信電力を下げる方向の指示が出ている場合には、受信状況が良好と判断し、送信電力（履歴）テーブルから最小電力値を抽出する。そして、ＲＮＣにて通知された電力値と比較し、最終的な決定を行う。
【００３０】
ＲＮＣから通知されるＦＡＣＨの送信電力は、最初はセル境界までカバーできるような大きな電力（一定）であるが、徐々にＦＡＣＨの電力を落としていく（図３参照）過程で、ＳＣＣＰＣＨの受信状況に応じて、ＲＮＣからの送信電力変更タイミング前に基地局にて自発的な電力調整を容易にする。
【００３１】
以下に、本発明の実施例の動作について、図５，６を参照しつつ詳細に説明する。ＦＡＣＨ受信部６では、ＲＮＣから受信したＩｕｂ  ＦｒａｍｅのＦｒａｍｅ  Ｔｙｐｅ（ＦＴ）が“０”（Ｄａｔａ  Ｆｒａｍｅ）であり（図５のステップ６１でＹｅｓ）、かつＣＨ種別がＦＡＣＨの場合に（図５のステップ６２でＹｅｓ）、データを受信する（図６のステップＳ１）。Ｆｒａｍｅ  Ｔｙｐｅが“１”（Ｃｏｎｔｒｏｌ  Ｆｒａｍｅ）の場合でかつ、ＣＨ種別がＦＡＣＨ以外の場合の処理については、ここでは言及しないことにする。
【００３２】
取得したＦＡＣＨのデータからＨｅａｄｅｒ部にあるＴＰＬを取り出し（図５のステップ６４）、ＦＡＣＨ送信電力算出部７に引き渡す（図６のステップＳ２）。Ｐａｙｌｏａｄ部（ＣＲＣビットは除く）については、符号化部９に引渡し（図５のステップ６３）チャネルコーディング処理が実施される。ＦＡＣＨ送信電力算出部７では、ＳＣＣＰＣＨの送信電力（以降、TX_POWERと称す）からオフセット分（ＴＰＬ）を引いた電力値を算出し（図５のステップ７１）、送信電力テーブルに保存する（図５のステップ７２、図６のステップＳ３）。ＦＡＣＨ送信電力算出部７から得られたＳＣＣＰＣＨ送信電力（以降、TX_POWER_NOWと称す）は、ＳＣＣＰＣＨ送信電力制御部８に通知される。
【００３３】
ＡＣＫ／ＮＡＣＫ情報ビット抽出部６では、チャネル復号部から取得したＤＰＣＣＨからＡＣＫ／ＮＡＣＫ情報ビットをＳＣＣＰＣＨ送電力制御部８に通知する（図６のステップＳ４）。ＳＣＣＰＣＨ送信電力制御部８では、先ず、動作制御部８−１にて、制御動作させるかどうかを判定する。この制御動作判定は、基地局に設定された個別チャネルＤＰＣＨのユーザ数がＮMBMS以上となった時点で動作させるものとする（図５のステップ８１１、図６のステップＳ５）。制御動作判定がオフの場合には、制御処理を動作させず通常の送信電力（TX_POWER_NOW）を選択し（図５のステップ８３０、図６のステップＳ６）、送信電力決定部８−２に通知する。なお、ユーザ数がＮMBMS以上のときのみ制御動作をオンとするのは、個別チャネル（ＤＰＣＨ）のユーザ数が少ない場合には、基地局近傍に位置する移動機が少ないことになる（ＳＣＣＰＣＨの送信電力の影響を受けるユーザ数が少ない）ので、本制御動作をオンさせる必要がないからである。
【００３４】
制御動作判定がオンの場合には、送信電力決定部８−２では、移動機から通知されるＡＣＫ／ＮＡＣＫ情報をＳＣＣＰＣＨの送信電力決定の判断要素に加え、ＡＣＫ／ＮＡＣＫ情報が全てＡＣＫだった場合には（図５のステップ８２１、図６のステップＳ７）、受信状況を良好とみなし、送信電力テーブル内の最小電力（以降、TX_POWER_MINと称す）を抽出し（図５のステップ８２６）、指定された送信電力であるTX_POWER_NOWと比較する（図５のステップ８２７、図６のステップＳ８，Ｓ９）。
【００３５】
TX_POWER_NOWがTX_POWER_MINより大きい場合には、TX_POWER_MINを選択し（図５のステップ８２８）、さらに低い送信電力を送信部１１に通知する（図６のステップＳ１０）。TX_POWER_NOWがTX_POWER_MINより小さい場合には、TX_POWER_NOWを選択し通知する（図５のステップ８２９、図６のステップＳ１１）。
【００３６】
全ての制御ビットがＡＣＫではない場合には、送信電力テーブル内の最大電力（以降、TX_POWER_Maxと称す）を抽出し（図５のステップ８２２）、指定された送信電力であるTX_POWER_NOWと比較する（図５のステップ８２３、図６のステップＳ１２，Ｓ１３）。TX_POWER_NOWがTX_POWER_MAXより大きい場合には、TX_POWER_NOWを選択し通知する（図５のステップ８２５、図６のステップＳ１４）。TX_POWER_NOWがTX_POWER_MAXより小さい場合には、TX_POWER_MAXを選択し通知する（図５のステップ８２４、図６のステップＳ１５）。これら各ステップで選択された電力値は、ＦＡＣＨ送信電力算出部７へ通知されて送信電力（履歴）テーブルに保存されることになる。
【００３７】
上述した実施例の動作は、その動作手順を予めプログラムとしてＲＯＭなどの記録媒体に格納しておき、これをコンピュータにより読み取らせて実行するように構成できることは勿論である。
【図面の簡単な説明】
【００３８】
【図１】本発明の実施例の基地局の機能ブロック図である。
【図２】上りＤＰＣＨ（ＤＰＤＣＨ／ＤＰＣＣＨ）のフレームの構成を示す図である。
【図３】ＦＡＣＨ送信電力値の時間的変化を示す図である。
【図４】ＦＡＣＨのヘッダ部およびペイロード部の構成を示す図である。
【図５】ＳＣＣＰＣＨ送信電力制御の動作の詳細を説明するための機能的構成図である。
【図６】本発明の実施例の動作を示すフローチャートである。
【符号の説明】
【００３９】
１  アンテナ
２  受信部
３  逆拡散部
４  チャネル復号部
５  ＡＣＫ／ＮＡＣＫ情報ビット抽出部
６  ＦＡＣＨ受信部
７  ＦＡＣＨ送信電力算出部
８  ＳＣＣＰＣＨ送信電力制御部
９  符号化部
１０  拡散部
１１  送信部
１００  ＳＣＣＰＣＨ送信部
２００  上りＤＰＣＣＨ受信部
【図１】
2008028489.tif 000003
【図２】
2008028489.tif 000004
【図３】
2008028489.tif 000005
【図４】
2008028489.tif 000006
【図５】
2008028489.tif 000007
【図６】
2008028489.tif 000008